(57)【要約】【課題】開口部を開閉する開閉体に静止画や動画等の画像を可変可能に照射表示することができ、開閉体を周囲景観との調和媒体や広告媒体とした理想的なディスプレイ効果を期待できる開閉装置利用によるディスプレイシステムを提供することにある。【解決手段】開口部を開閉する開閉体２に画像表示用のスクリーン領域３を設定し、このスクリーン領域３に対してプロジェクタ４から照射投影して前記スクリーン領域３の表面に投影画像を表示するように構成したものである。【選択図】図１
2007205030.tif 000002
【特許請求の範囲】
【請求項１】
開口部を開閉する開閉体に画像表示用のスクリーン領域を設定し、このスクリーン領域に対してプロジェクタから照射投影して前記スクリーン領域の表面に投影画像を表示するように構成したことを特徴とする開閉装置利用によるディスプレイシステム。
【請求項２】
プロジェクタは、画像信号発信機器から画像情報信号を入力して当該入力画像情報信号に応じた画像を開閉体のスクリーン領域に照射投影することを特徴とする請求項１記載の開閉装置利用によるディスプレイシステム。
【請求項３】
画像信号発信機器は、音声出力手段へ音声情報信号を出力する機能を有していることを特徴とする請求項２記載の開閉装置利用によるディスプレイシステム。
【請求項４】
開閉体のスクリーン領域は、ホログラフィーフィルムが貼着された開閉体の透光性を有する部位であることを特徴とする請求項１から請求項３のうちのいずれか１項記載の開閉装置利用によるディスプレイシステム。
【請求項５】
プロジェクタは、開閉体を隔ててプロジェクタと反対側の位置から正しい向きの画像が見えるように開閉体のスクリーン領域に投影画像を照射するように構成したことを特徴とする請求項１から請求項４のうちのいずれか１項記載の開閉装置利用によるディスプレイシステム。
【請求項６】
プロジェクタは、開閉体のスクリーン領域に照射された投影画像の全体形状を補正する画像補正機能を有していることを特徴とする請求項１から請求項５のうちのいずれか１項記載の開閉装置利用によるディスプレイシステム。
【発明の詳細な説明】
【技術分野】
【０００１】
この発明は、建物等の構築・構造物の開口部やショーウインド等を開閉する開閉装置を利用したディスプレイシステムに関するものである。
【背景技術】
【０００２】
近年の開閉装置、特にシャッターは、それ本来の開閉機能のほかに、周囲景観との調和媒体や広告媒体として利用することが多く、その手段として、シャッターにおける開閉体であるシャッターカーテンの表面に絵画や広告、宣伝等の塗装を施したり、それらの静止画が予め撮像等されたフィルムを貼着することは既に知られている。
【０００３】
なお、上記先行技術は当業者一般に知られた技術であって、文献公知発明に係るものではない。
【発明の開示】
【発明が解決しようとする課題】
【０００４】
従来のシャッターを周囲景観との調和媒体もしくは広告媒体とした構造では、シャッターカーテンの表面に塗装またはフィルム貼着による定常不変の静止画しか表示することができず、塗装の塗り替えやフィルムの張り替えを行わずに表示内容を変化・変更させることができないという課題があった。しかも、前述のような塗装やフィルム貼着による静止画は風雨等に晒されて劣化し易く、その劣化による剥がれが生じた際には前記静止画を更新しなければならず、その更新の都度、塗装の塗り替えやフィルムの張り替えを行わなければならず、その作業に多くの時間を費やすなど結果的にコスト高になるという課題があった。
【０００５】
この発明は上記のような課題を解決するためになされたもので、開口部を開閉する開閉体に静止画や動画等の画像を可変可能に照射表示させることができ、開閉体を周囲景観との調和媒体や広告媒体とした理想的なディスプレイ効果を期待できる開閉装置利用によるディスプレイシステムを提供することを目的とする。
【課題を解決するための手段】
【０００６】
この発明に係る開閉装置利用によるディスプレイシステムは、開口部を開閉する開閉体に画像表示用のスクリーン領域を設定し、このスクリーン領域に対してプロジェクタから照射投影して前記スクリーン領域の表面に投影画像を表示するように構成したものである。
【発明の効果】
【０００７】
この発明によれば、開閉体のスクリーン領域に対するプロジェクタからの照射投影によって前記スクリーン領域の表面に静止画や動画等の投影画像を表示させることができると共に、前記プロジェクタからの照射による投影画像は必要に応じて容易に変化・変更させることができるため、前記開閉体を周囲景観との調和媒体や広告媒体とした理想的なディスプレイ効果を得ることができる。
【発明を実施するための最良の形態】
【０００８】
実施の形態１．
図１はこの発明の実施の形態１によるディスプレイシステムに適用するガラス製シャッターを示す概略的な斜視図、図２はそのシャッター利用によるディスプレイシステムの概要構成図である。
図１に示すシャッター（開閉装置）は、建物等の構築・構造物やショーウインドもしくはガレージ等のシャッター開閉用開口部の両側に配置された左右一対のガイドレール１と、このガイドレール１間を昇降開閉するシャッターカーテン（開閉体）２と、このシャッターカーテン２を昇降駆動する駆動手段（図示せず）とから構成されている。
【０００９】
前記シャッターカーテン２は、前記ガイドレール１間でシャッター開閉方向に配列された複数の透光性のガラス面板２ａからなり、それらのガラス面板２ａはそれぞれの両側部で一連に連なった構成となっている。このようなシャッターカーテン２は、前記ガイドレール１間では各ガラス面板２ａが上下方向に連なった状態で縦移送され、前記ガイドレール１の上部に設けられたカーテン収納部では前記各ガラス面板２ａが並列状態となって横移送されるようになっている。
【００１０】
前記シャッターカーテン２において、少なくとも複数枚のガラス面板２ａにはホログラフィーフィルム３が貼着されている。このホログラフィーフィルム３は前記ガラス面板２ａに画像表示用のスクリーン領域を形成しているもので、前記各ガラス面板２ａのそれぞれが一枚面板から成る場合には当該ガラス面板２ａの裏面（屋内側の面）に貼着し、前記各ガラス面板２ａのそれぞれが積層面板から成る場合には、その積層面板間に配置貼着することが好ましい。
【００１１】
このようにホログラフィーフィルム３が貼着された透光性の複数のガラス面板２ａから成るシャッターカーテン２と、屋内に設置されて前記ホログラフィーフィルム３に投影画像を照射するプロジェクタ４（図２参照）とによって、透光性を有するシャッターカーテン２を利用したディスプレイシステムが構成されている。
【００１２】
ここで、前記プロジェクタ４は、パソコン５やビデオコーダ６やビデオプレーヤ７等（その他に図示しないが、ＴＶチューナやカメラ等でもよい）の少なくとも１つから成る画像信号発信機器８から画像情報信号を入力して前記ホログラフィーフィルム３に静止画や動画等の投影画像を照射するようになっている。また、前記プロジェクタ４は、前記ホログラフィーフィルム３で形成されたスクリーン領域に照射する投影画像の全体形状を補正するための画像補正機能を有している。なお、前記画像信号発信機器８は、図示しないスピーカー等の音声発生器に音声信号も発信できるようにすることが好ましい。また、前記プロジェクタ４は、投影画像の照射時に画像信号発信機器８から音声信号も入力して音声を発生する音声発生機構が組み込まれた構成としてもよい。
【００１３】
次に動作について説明する。
ガイドレール１間をシャッターカーテン２が全閉すると、上下方向に隣り合うガラス面板２ａの個々に貼着されたホログラフィーフィルム３によって略平坦な１つのスクリーン領域が形成される。この状態、すなわち前記シャッターカーテン２の全閉時にプロジェクタ４を起動させると、当該プロジェクタ４は画像信号発信機器８から画像情報信号を入力し、この画像情報信号に応じた画像を、シャッターカーテン２を隔てて画像観賞側と反対側である屋内側から前記ホログラフィーフィルム（スクリーン領域）３に投影することにより、前記シャッターカーテン２の表面に静止画や動画等の投影画像が表示される。このとき、投影画像は、前記画像観賞側である屋外側から見たときに画像の向きが正しくなるように、前記プロジェクタ４から照射される。
【００１４】
以上説明した実施の形態１によれば、シャッターの開閉体であるシャッターカーテン２を複数の透光性のガラス面板２ａで構成し、このガラス面板２ａにホログラフィーフィルム３を貼着して画像表示用のスクリーン領域を形成し、このスクリーン領域に対してプロジェクタ４から照射投影することで前記スクリーン領域の表面に投影画像を表示するように構成したので、前記シャッターカーテン２を周囲景観との調和媒体や広告媒体としてそのスクリーン領域に静止画や動画等の様々な投影画像させることができ、特に、前記プロジェクタ４からの照射による投影画像は必要に応じて容易に変化・変更させることができるため、前記スクリーン領域に豊かな趣向性の投影画像を表示することができるという効果がある。
【００１５】
また、前述のように、シャッターカーテン２のスクリーン領域を形成するホログラフィーフィルム３を、前記シャッターカーテン２を構成する各ガラス面板２ａの屋内側となる裏面もしくは積層ガラス面板２ａ間に配置貼着するように構成したので、前記ホログラフィーフィルム３が風雨に晒されるようなこともなくなって前記ホログラフィーフィルム３の劣化を防止することができるという効果がある。さらには、屋内側に設置されたプロジェクタ４から前記ホログラフィーフィルム３に対して照射投影することで、そのホログラフィーフィルム３の屋外側となる表面に投影画像が表示されるので、昼夜を問わず屋外の人が鮮明な投影画像を観賞することができると共に、前記プロジェクタ４の悪戯や盗難等をも防止できるという効果がある。
【００１６】
さらに、前記プロジェクタ４は、画像信号発信機器８から画像情報信号を入力し、この入力画像情報信号に応じた画像を、開閉体であるシャッターカーテン２のスクリーン領域（ホログラフィーフィルム３）に照射投影するので、一般的な画像情報記憶媒体を用いて、前記スクリーン領域に表示すべき投影画像の内容を容易に選択・変更することができるという効果がある。また、前記プロジェクタ４は、前記スクリーン領域に照射された投影画像の全体形状を補正するための画像補正機能を有しているので、前記プロジェクタ４の照射方向が前記スクリーン領域に対して垂直となる位置に前記プロジェクタ４を設置せずとも前記スクリーン領域に対して歪みや縦横比率の変化等がない正規形状の投影画像を鮮明に表示させることができるという効果がある。
【００１７】
また、前記画像信号発信機器８は、音声出力手段（音声発生機器）へ前記投影画像にマッチした音声情報信号を出力する機能を有しているので、前記スクリーン領域に対して音声を伴う投影画像を表示させることができるという効果がある。
【００１８】
なお、前記実施の形態１において、前記ホログラフィーフィルム３は各ガラス面板２ａの全面もしくは部分的に貼着されたいずれのものであってもよく、また、前記プロジェクタ４は屋内であれば、床面や側壁面もしくは天井壁部のいずれに配置されたものであってもよく、いずれの場合も同様の効果を期待できる。さらに、前記プロジェクタ４は、シャッターカーテン２と連動制御することによって、照射投影する画像表示の有無や表示の内容が自動的に切り替わるようにしてもよく、例えば、前記シャッターカーテン２の全閉動作による最下位ガラス面板２ａの接地時に自動的に起動させるためのスイッチを備えた構成としてもよく、この場合、前記シャッターカーテン２の全閉時に人為的なスイッチ操作を必要とせずに前記プロジェクタ４を自動的に起動して画像の照射投影を開始させることができる。
【００１９】
実施の形態２．
前記実施の形態１では、開閉体であるシャッターカーテン２の全体が透光性のガラス面板２ａからなる構成としたが、前記シャッターカーテン２は、ホログラフィーフィルム３の部分的貼着によるスクリーン領域の形成部位のみが透光性を有し、それ以外は透光性を有していない構成としてもよく、この場合も前記実施の形態１と同様の効果を得ることができる。
【００２０】
実施の形態３．
前記実施の形態１では、シャッターカーテン２のスクリーン領域における画像観賞側と反対側にプロジェクタ４を設置したが、このプロジェクタ４は前記画像観賞側から前記スクリーン領域に投影画像を照射するように設置してもよい。この場合、開閉体であるシャッターカーテン２に透光性があってもなくても投影画像を表示することができるという効果がある。このように、透光性の有無を問わないシャッターカーテン２に対して前記画像観賞側からプロジェクタ４で投影画像を照射するので、前記シャッターカーテン２にホログラフィーフィルム３を貼着せずとも前記シャッターカーテン２における画像観賞側の表面をスクリーン領域として投影画像を表示させることができるという効果がある。また、この場合においても、前記プロジェクタ４の画像補正機能によって、前記スクリーン領域に照射された投影画像を観賞側から見たときに正しい向きとなるように補正して表示させることができるという効果がある。
【００２１】
実施の形態４．
前記実施の形態１では、シャッターカーテン２の透光性を有する部位（ガラス面板２ａ）にホログラフィーフィルム３を貼着することでスクリーン領域を形成したが、そのホログラフィーフィルム３に代えて半透明のシート部材を貼着することにより前記スクリーン領域を形成してもよく、この場合も前記実施の形態１と同様の効果を期待できる。
【００２２】
実施の形態５．
プロジェクタ４は、その照射投影方向がスクリーン領域に対して垂直となる位置に設置してもよい。この場合も前記プロジェクタ４が画像補正機能を有する構成とすることにより、スクリーン領域に投影画像が変形して照射される場合でも、その変形画像を正規形状に補正してスクリーン領域に表示させることができるという効果がある。
【００２３】
前記実施の形態１では、開閉装置としてシャッターを適用した場合について説明したが、この発明のディスプレイシステムを適用可能な開閉装置は、開閉体を巻き取ったり繰り出したりして開口部を開閉するシャッターやオーニング、ロールスクリーン、ブラインド等の開閉装置でもよく、開閉体を巻き取ったり繰り出したりしないで開口部を開閉するシャッターや、扉、引戸、オーバーヘッドドア、スライディングウォールなどの開閉装置でもよい。また、開閉体は、スラットやシート、ネット、パネル、リンクで連接されたパイプなどのいずれによって構成されたものでもよく、これらを組み合わせて構成されたものでもよい。また、開閉体の開閉方向は、上下方向でも横方向でも斜め方向でもよい。
【００２４】
なお、前述した開閉装置利用によるディスプレイシステムは、開閉体が一部閉鎖していて全閉していない状態においても、開閉体のスクリーン領域が開口部に露出していれば実施可能である。
【図面の簡単な説明】
【００２５】
【図１】この発明の実施の形態１によるディスプレイシステムに適用するガラス製シャッターの概略的な斜視図である。
【図２】図１のシャッター利用によるディスプレイシステムを示す概要構成図である。
【符号の説明】
【００２６】
１  ガイドレール
２  シャッターカーテン（開閉体）
２ａ  ガラス面板（開閉体）
３  ホログラフィーフィルム（スクリーン領域）
４  プロジェクタ
５  パソコン
６  ビデオコーダ
７  ビデオプレーヤ
８  画像信号発信機器
【図１】
2007205030.tif 000003
【図２】
2007205030.tif 000004